(57)【要約】【課題】遊技球を自重によって落下させながらも、遊技球の動きに変化をつける。【解決手段】傾斜面２０ｃを転動するパチンコ球によって第１揺動部材３０が押圧されると、第１揺動部材３０が第１ステージ２０から離れる方向に揺動し、傾斜面が露呈される。露呈された傾斜面は傾斜面２０ｃから落下したパチンコ球を受ける。傾斜面上のパチンコ球は軸の軸方向Ａから第２転動面２１ａに落下する。傾斜面２０ｄを転動するパチンコ球によって第２揺動部材３１が押圧されると、第２揺動部材３１が第１ステージ２０から離れる方向に揺動し、傾斜面が露呈される。露呈された傾斜面は傾斜面２０ｄから落下したパチンコ球を受ける。傾斜面上のパチンコ球は、落下したパチンコ球は球通路２７に入る。【選択図】        図２
2006061184.tif 000002
【特許請求の範囲】
【請求項１】
奥側から手前側に向けて下方に傾斜した転動面が形成され、前記転動面で遊技球を転動させるステージを遊技領域に設けた遊技機であって、
略水平な軸を中心に揺動自在に軸支され、前記ステージの手前で前記ステージの下方から前記転動面より上方に突出する第１突出部を備えた揺動部材と、
前記第１突出部を前記ステージに近づく方向に付勢する付勢部材とを備え、
前記揺動部材に、前記奥側に向けて突出し、前記転動面の下方で前記転動面から落下した遊技球を受けることが可能な第２突出部を形成し、
前記揺動部材は、前記第１突出部が前記付勢部材の付勢によって前記ステージに近づく方向に揺動し、前記第２突出部が前記ステージに覆われて前記転動面から落下した遊技球を前記第２突出部で受けることができない受容不能位置と、前記ステージを転動する遊技球によって前記第１突出部が前記付勢部材の付勢に抗して前記ステージから離れる方向に揺動し、前記第２突出部が露呈されて前記転動面から落下した遊技球を前記第２突出部で受けることができる受容位置との間で揺動することを特徴とする弾球遊技機。
【請求項２】
前記第２突出部に、前記軸の軸方向に対して傾斜した傾斜面を形成したことを特徴とする請求項１記載の弾球遊技機。
【請求項３】
前記付勢部材は、前記軸を支点に揺動するように配置されたおもりであることを特徴とする請求項１又は２記載の弾球遊技機。
【請求項４】
前記第２突出部に、前記転動面から落下した遊技球の落下方向を規制する落下方向規制壁を設けたことを特徴とする請求項１〜３のいずれかに記載の弾球遊技機。
【請求項５】
複数の前記ステージを互いに高さが異なるように階段状に配置し、前記揺動部材を、相対的に高い位置に設けられた前記ステージの下方から前記第１突出部が前記転動面より上方に突出するように軸支したことを特徴とする請求項１〜４のいずれかに記載の弾球遊技機。
【発明の詳細な説明】
【技術分野】
【０００１】
本発明は、遊技球を使用して遊技が行われる弾球遊技機に関するものである。
【背景技術】
【０００２】
本明細書中では弾球遊技機の一例としてパチンコ機を例に挙げて説明しているため、遊技球としてパチンコ球を用いて説明するが、遊技球としてはパチンコ球以外の他の態様の球も含む。また、遊技盤の遊技盤面に設けられた入賞口にパチンコ球が入ることを入賞とする。
【０００３】
図柄表示装置を有するパチンコ機の殆どには、遊技盤の遊技領域に打ち出されたパチンコ球を転動させる転動面を備えたステージが設けられている。一般に、ステージの下方には始動入賞口が設けられており、転動面を転動するパチンコ球が始動入賞口に入賞しやすくなるように転動面には傾斜がつけられている。始動入賞口で入賞が発生すると図柄表示装置が作動されるため、ステージを設けることによって転動面を転動するパチンコ球の動きに興味を惹きつけ、遊技に緊張感を付与することができる。しかし、単に、ステージを１つ設けただけでは、転動面を転動するパチンコ球の動きが乏しく、遊技が単調になってしまうことがあった。このため、近年、例えば互いの高さが異なるようにステージを２段に形成する、あるいは、磁石によってパチンコ球を一定の位置まで移動させる電動の可動物を設けるなど、転動面を転動するパチンコ球の動きに遊技者の興味を惹きつけるために様々な工夫がなされたパチンコ機が提供される傾向にある。
【発明の開示】
【発明が解決しようとする課題】
【０００４】
しかしながら、ステージを２段構成にしたものでは、パチンコ球は単に上段のステージから下段のステージに落下するだけであるので、ステージを２段構成にするという独特の構成のわりには、パチンコ球の動きが乏しかった。また、電動の可動物を設けたものでは、例えば停電などによってパチンコ機の電源が遮断されてしまうと、パチンコ球が転動面で停滞してしまいパチンコ球が詰まってしまうことがあった。
【０００５】
本発明は、上記課題を解決するためになされたもので、遊技球を自重によって落下させながらも、遊技球の動きに変化をつけることができるようにした弾球遊技機を提供することを目的とする。
【課題を解決するための手段】
【０００６】
上記目的を達成するために、本発明の弾球遊技機は、奥側から手前側に向けて下方に傾斜した転動面が形成され、前記転動面で遊技球を転動させるステージを遊技領域に設けた遊技機であって、略水平な軸を中心に揺動自在に軸支され、前記ステージの手前で前記ステージの下方から前記転動面より上方に突出する第１突出部を備えた揺動部材と、前記第１突出部を前記ステージに近づく方向に付勢する付勢部材とを備え、前記揺動部材に、前記奥側に向けて突出し、前記転動面の下方で前記転動面から落下した遊技球を受けることが可能な第２突出部を形成し、前記揺動部材は、前記第１突出部が前記付勢部材の付勢によって前記ステージに近づく方向に揺動し、前記第２突出部が前記ステージに覆われて前記転動面から落下した遊技球を前記第２突出部で受けることができない受容不能位置と、前記ステージを転動する遊技球によって前記第１突出部が前記付勢部材の付勢に抗して前記ステージから離れる方向に揺動し、前記第２突出部が露呈されて前記転動面から落下した遊技球を前記第２突出部で受けることができる受容位置との間で揺動するものである。
【０００７】
また、前記第２突出部に、前記軸の軸方向に対して傾斜した傾斜面を形成することが好ましい。
【０００８】
また、前記付勢部材は、前記軸を支点に揺動するように配置されたおもりであることが好ましい。
【０００９】
また、前記第２突出部に、前記ステージから落下した遊技球の落下方向を規制する落下方向規制壁を設けることが好ましい。
【００１０】
また、複数の前記ステージを互いに高さが異なるように階段状に配置し、前記揺動部材を、相対的に高い位置に設けられた前記ステージの下方から前記第１突出部が前記転動面より上方に突出するように軸支することが好ましい。
【００１１】
また、本発明の遊技機では、遊技球が打ち出される遊技領域を前面側に有し、前面側から背面側に貫通する孔が形成された遊技盤と、略水平な軸を中心に前記遊技盤に揺動自在に軸支され、前記遊技盤の背面側から前面側に向かう方向に突出する第１突出部及び前記遊技盤の前面側から背面側に向かう方向に突出するとともに、前記遊技領域を落下する遊技球を受けることが可能な第２突出部が形成された揺動部材と、前記揺動部材の前記突出部を前記遊技盤の前面側から背面側に向かう方向に付勢する付勢部材とを備え、前記揺動部材は、前記第１突出部が前記付勢部材の付勢によって前記遊技盤の前面側から背面側に向かう方向に揺動し、前記第２突出部が前記孔から前記遊技盤の背面側に突出して、前記遊技領域を落下する遊技球を受けることができない受容不能位置と、前記遊技領域を落下する遊技球が前記第１突出部を押圧することによって前記第１突出部が前記遊技盤の背面側から前面側に向かう方向に揺動し、前記第２突出部が前記孔から前記遊技盤の前面側に突出して前記遊技領域を落下する遊技球を受けることができる受容位置との間で揺動することを特徴としてもよい。これにより、遊技領域を落下するパチンコ球の動きに興味を惹きつけることができる。
【発明の効果】
【００１２】
本発明によれば、揺動部材は、第１突出部が付勢部材の付勢によってステージに近づく方向に揺動し、第２突出部がステージに覆われて転動面から落下した遊技球を第２突出部で受けることができない受容不能位置と、ステージを転動する遊技球によって第１突出部が付勢部材の付勢に抗してステージから離れる方向に揺動し、第２突出部が露呈されて転動面から落下した遊技球を第２突出部で受けることができる受容位置との間で揺動するので、遊技球を段階的に落下させることが可能になり、遊技球を自重によって落下させながらも、遊技球の動きに変化をつけることができる。
【００１３】
また、第２突出部に、軸方向に対して傾斜した傾斜面を形成したので、遊技球を前記軸方向に落下させることが可能になり、遊技球を自重によって落下させながらも、遊技球の動きに変化をつけることができる。
【００１４】
付勢部材は、軸を支点に揺動するように配置されたおもりであるので、付勢部材を揺動部材と一体にすることが可能になり、部品点数を削減して遊技機のコストを削減することができる。
【００１５】
また、第２突出部の傾斜面に、ステージから落下した遊技球の落下方向を規制する落下方向規制壁を設けたので、確実に遊技球を揺動部材の軸方向に落下させることが可能になり、遊技球の動きに確実に変化をつけることができる。
【００１６】
また、複数のステージを互いに高さが異なるように階段状に配置し、揺動部材を、相対的に高い位置に設けられた前記ステージの下方から第１突出部が転動面より上方に突出するように軸支したので、遊技球が転動面で転動する時間を長くすることが可能になり、遊技者の遊技球の動きへの興味を惹きつけることができる。
【発明を実施するための最良の形態】
【００１７】
図１に示すように、パチンコ機１０の下方には発射ハンドル１０ａが設けられている。発射ハンドル１０ａが操作されると、遊技盤１１の前面側の遊技領域にパチンコ球が打ち出される。遊技盤１１には図柄表示装置１２が組み込まれている。遊技盤１１の前面には、始動入賞口１３、通常入賞口１４、通過入賞口１４ａ、アタッカ１５、アウト口１６などが設けられており、打ち出されたパチンコ球はいずれかに入る。始動入賞口１３にパチンコ球が入賞すると図柄表示装置１２で図柄の変動表示が行われて遊技者が有利になる当たりか否かが表示される。図柄表示装置１２の下方で始動入賞口１３の上方には、打ち出されたパチンコ球を一時的に転動させるステージ１７を有する役物１８が設けられている。
【００１８】
図２に示すように、ステージ１７は、互いに高さが異なるように階段状に配置された第１ステージ２０及び第２ステージ２１の２段構成になっている。第１ステージ２０及び第２ステージ２１は、第１ステージ２０が上方で第２ステージ２１が下方に位置するように互いの相対的な位置が設定されている。
【００１９】
第１ステージ２０及び第２ステージ２１の上面には、遊技球を落下するパチンコ球を転動させる第１転動面２０ａ及び第２転動面２１ａがそれぞれ設けられている。第１転動面２０ａ及び第２転動面２１ａは両端部の高さが最も高く、中央部が隆起した曲面状に形成されている。
【００２０】
第１転動面２０ａの中央部の両側方には、奥側から手前側に傾斜する傾斜面２０ｂ，２０ｃ、中央部には傾斜面２０ｄが形成されている。また、第２転動面２１ａの中央部の両側方には、奥側から手前側に傾斜する傾斜面２１ｂ，２１ｃ、中央部には、手前側から奥側に傾斜する傾斜面２１ｄが形成されている。各傾斜面２０ｂ〜２０ｄ，２１ｂ〜２１ｄは、その幅が奥側から手前側に次第に広がる略扇形に形成されている。
【００２１】
役物１８は、第１転動面２０ａ及び第２転動面２１ａとに連なり、これらの面に略垂直な垂直面２３を備えている。垂直面２３の傾斜面２１ｂと対峙する位置には球入口２４が形成されている。また、第２転動面２１ａの手前から下方に連なり、第２転動面２１ａに略垂直な垂直面２５には、始動入賞口１３の上方に位置するように球出口２６が形成されている。球入口２４と球出口２６とは役物１８の内部に形成された球通路２７によって連通している。このため、球入口２４に入ったパチンコ球は球通路２７を通って球出口２６から排出される。
【００２２】
また、垂直面２３には、傾斜面２０ｂ〜２０ｄのそれぞれの下方に位置するように３つの開口２８ａ〜２８ｃが形成されている。開口２８ａは傾斜面２０ｂの下方、開口２８ｂは傾斜面２０ｃの下方、開口２８ｃは傾斜面２０ｂの下方にそれぞれ配置されている。
【００２３】
図３に示すように、開口２８ａ，２８ｃからは、開口２８ａ，２８ｃの奥で略水平な軸を中心に揺動自在に軸支された第１揺動部材（揺動部材）２９，３０が第１ステージ２０の手前に突出している。また、開口２８ｂからは、開口２８ｂの奥で略水平な軸を中心に揺動自在に軸支され、第１揺動部材２９，３０とは形状の異なる第２揺動部材（揺動部材）３１が第１ステージ２０の手前に突出している。
【００２４】
次に、図４を用いて第１揺動部材２９，３０について説明するが、第１揺動部材２９と第１揺動部材３０とは同一の構成（左右対象）であるため第１揺動部材３０を例に挙げて説明する。
【００２５】
第１揺動部材３０は、円筒状の軸受け４０、軸受け４０の外周面から突出した第１突出部４１、第１突出部４１から突出した第２突出部４２、おもり４３を備えている。
【００２６】
軸受け４０は、水平な軸４４を中心に揺動自在となるように開口２８ａの奥で軸支されている。
【００２７】
第１突出部４１は矩形状の板からなり、その幅方向が軸４４の軸方向Ａと平行となり、長手方向が軸方向Ａと直交するように軸受け４０の外周面から突出している。第１突出部４１は、第１揺動部材３０が後述する受容不能位置に位置するときに、第１ステージ２０の下方から第１転動面２０ａより上方に突出するように長手方向の長さが設定されている。
【００２８】
第２突出部４２は長手方向が湾曲した矩形状の板からなる。第２突出部４２は、第１突出部４１の幅広な面の一方である背面４１ａから略直交するように突出している。第１揺動部材３０が役物１８に取り付けられた状態では、第２突出部４２は第１ステージ２０の下方で第１転動面２０ａの奥側に向かって突出する。
【００２９】
第２突出部４２の上面は、軸４４の軸方向Ａに対して傾斜がつけられた傾斜面４２ａとなっている。傾斜面４２ａはパチンコ球を受けることが可能な大きさになっており、詳しくは後述するように、第１揺動部材３０の背面４１ａが第１ステージ２０から離れる方向Ｂに揺動したときに傾斜面４２ａには第１転動面２０ａのパチンコ球が落下する。
【００３０】
傾斜面４２ａの第１揺動部材３０の回転方向における一方の側端部及び前記側端部と連なるように背面４１ａの一方の端部と先端部には、パチンコ球の落下方向を軸方向Ａの左右いずれかに規制する落下方向規制壁４５が互いの面上から突出するように形成されている。傾斜面４２ａ上のパチンコ球は、落下方向規制壁４５によって落下方向が規制され、軸方向Ａ（図４におけるＡ方向）から第２ステージ２１の第２転動面２１ａに落下する。第１揺動部材２９が受けたパチンコ球は左方に落下し、第１揺動部材３０が受けたパチンコ球は右方に落下する。なお、落下方向規制壁４５を設けないと、軸方向Ａにおいてパチンコ球を不規則に落下させることができるが、第１揺動部材３０に傾斜面４２ａを設けることにより、パチンコ球の落下方向を一定の方向に偏らせることができる。
【００３１】
おもり４３は扇形の板からなり、軸受け４０の外周面から第１突出部４１の突出方向と略反対方向に突出している。このため、おもり４３は軸４４を支点に揺動する。おもり４３は、第１突出部４１の背面４１ａが第１ステージ２０に近づく方向Ｃに付勢されるように、その重さ及び軸受け４０からの突出位置が設定されている。なお、おもり４３の重量は、傾斜面４２ａで受けたパチンコ球１つ分の重量によって第１揺動部材３０を第１ステージ２０から離れる方向に揺動させ、自重で第１揺動部材３０が初期位置に復帰する重量に設定されている。
【００３２】
次に、図５を用いて第２揺動部材３１について説明するが、第１揺動部材３０と同一の部材については同符号を用いて説明を省略する。
【００３３】
第２揺動部材３１は、軸受け４０の外周面から突出した第１突出部５０、第１突出部５０から突出した第２突出部５１を備えている。
【００３４】
第１突出部５０は矩形状の板からなり、その幅方向が軸４４の軸方向Ａと平行となり、長手方向が軸方向Ａと直交するように軸受け４０の外周面から突出している。第１突出部５０は、第１揺動部材３０が後述する受容不能位置に位置するときに、第１ステージ２０の下方から第１転動面２０ａより上方に突出するように長手方向の長さが設定されている。
【００３５】
第２突出部５１は長手方向が湾曲した矩形状の板からなり、第１突出部５０の幅広な面の一方である背面５０ａから略直交するように突出している。第２揺動部材３１が役物１８に取り付けられた状態では、第２突出部５１は、第１ステージ２０の下方で第１転動面２０ａの奥側に向かって突出する。
【００３６】
第２突出部５１の上面は、根元から先端にかけて下方に傾斜する傾斜面５１ａとなっている。傾斜面５１ａは背面５０ａと連接されている。傾斜面５１ａはパチンコ球を受けることが可能な大きさになっており、詳しくは後述するように、第２揺動部材３１が第１ステージ２０から離れる方向Ｂに揺動したときに傾斜面５１ａには第１転動面２０ａのパチンコ球が落下する。
【００３７】
なお、傾斜面４２ａ，５１ａの軸方向Ａにおける幅、第１揺動部材３０及び第２揺動部材３１の揺動する距離はパチンコ球１個以上２個未満にすることが好ましい。これにより、傾斜面４２ａ，５１ａで２個以上のパチンコ球を受けてしまい、背面４１ａ，５０ａと第１ステージ２０との間にパチンコ球が詰まることを防止できる。また、各傾斜面２０ｂ〜２０ｄ，２１ｂ〜２１ｄの最大幅はパチンコ球１個以上２個未満が好ましい。これにより、各傾斜面から複数のパチンコ球が一度に落下して、傾斜面４２ａ，５１ａで２個以上のパチンコ球を受けてしまい、背面４１ａ，５０ａと第１ステージ２０との間にパチンコ球が詰まることを防止できる。
【００３８】
第２揺動部材３１の回転方向における傾斜面５１ａの両側端部及び前記両側端部と連なるように背面５０ａの両側端部と先端部には、パチンコ球の落下方向を第２突出部５１の突出方向Ｄに規制する落下方向規制壁４５が互いの面上から突出するように形成されている。傾斜面５１ａ及び背面５０ａで受けたパチンコ球は、落下方向規制壁４５によって開口２８ｂの奥に誘導される。開口２８ｂの奥は球通路２７に連通している。このため、傾斜面２０ｄから落下して、第２揺動部材３１によって誘導されたパチンコ球は球通路２７に入る。
【００３９】
図６に示すように、第１揺動部材３０及び第２揺動部材３１は、傾斜面４２ａ及び傾斜面５１ａが露呈され、傾斜面４２ａと背面４１ａ及び傾斜面５１ａと背面５０ａでパチンコ球を受けることができる受容位置と、図７に示すように、傾斜面４２ａと背面４１ａ及び傾斜面５１ａと背面５０ａが第１ステージ２０で覆われ、傾斜面４２ａ及び傾斜面５１ａでパチンコ球を受けることができない受容不能位置との間で揺動する。なお、第１揺動部材３０及び第２揺動部材３１が受容位置に位置するときに第２転動面２１ａをパチンコ球が転動することが可能、すなわち、第１揺動部材３０及び第２揺動部材３１と第２転動面２１ａとの距離がパチンコ球１個分より大きくなるように、第１揺動部材３０及び第２揺動部材３１と第２転動面２１ａとの相対的な距離が設定されている。
【００４０】
第１揺動部材３０及び第２揺動部材３１は、第１揺動部材３０及び第２揺動部材３１の傾斜面４２ａ，５１ａでパチンコ球を受けた状態では、第１突出部４１，５０の背面４１ａ，５０ａが開口２８ｂ，２８ｃの下側の縁２８ｅに当接して受容位置で保持される。
【００４１】
また、第１揺動部材３０及び第２揺動部材３１は、傾斜面４２ａ，５１ａでパチンコ球を受けていない状態では、おもり４３の付勢によって第１ステージ２０に近づく方向Ｃに揺動し、背面４１ａ，５０ａが第１ステージ２０の前側の端面（開口２８ｂ，２８ｃの上側の縁２８ｆ）に当接して受容不能位置で保持される。
【００４２】
次に、上記のように構成されたパチンコ機の作用について説明する。なお、第１揺動部材２９及び第１揺動部材３０は作用も同じであるため、第１揺動部材３０を図示して説明する。常態では、第１揺動部材２９，３０及び第２揺動部材３１はそれぞれのおもり４３の重量によって受容不能位置で保持される。遊技領域に打ち出されたパチンコ球が第１転動面２０ａに落下すると、落下したパチンコ球は第１転動面２０ａを転動する。第１転動面２０ａ上のパチンコ球が傾斜面２０ｃを転動すると、このパチンコ球は傾斜に沿って転動する。
【００４３】
そして、図８（Ａ）に示すように、傾斜面２０ｃを転動するパチンコ球によって第１突出部４１の背面４１ａが押圧されると、第１突出部４１が第１ステージ２０から離れる方向Ｂに揺動し、傾斜面４２ａが露呈される。
【００４４】
この後、図８（Ｂ）に示すように、露呈された傾斜面４２ａ及び背面４１ａは傾斜面２０ｃから落下したパチンコ球を受ける。このとき、第１揺動部材３０は受容位置で保持された状態となっている。図９（Ａ）に示すように、傾斜面４２ａ及び背面４１ａで受けたパチンコ球は、落下方向規制壁４５によって落下方向が規制され、軸４４の軸方向Ａ（図９における右側の方向）から第２転動面２１ａに落下する。図９（Ｂ）に示すように、パチンコ球が落下すると、第１突出部４１は、おもり４３の重量によって第１ステージ２０に近づく方向Ｃに付勢されて揺動する。そして、図９（Ｃ）に示すように、傾斜面４２ａが第１ステージ２０に覆われ、第１揺動部材３０は受容不能位置で保持される。
【００４５】
図１０（Ａ）に示すように、第１転動面２０ａ上のパチンコ球が傾斜面２０ｄを転動し、図１０（Ｂ）に示すように、このパチンコ球によって第２揺動部材３１の第１突出部５０が押圧されると、第１突出部５０が第１ステージ２０から離れる方向Ｂに揺動し、傾斜面５１ａが露呈される。この後、図９（Ｃ）に示すように、傾斜面５１ａ及び背面５０ａは傾斜面２０ｄから落下したパチンコ球を受ける。このとき、第２揺動部材３１は受容位置で保持された状態となる。傾斜面５１ａ及び背面５０ａで受けたパチンコ球は、落下方向規制壁４５によって落下方向が規制され、第２突出部５１の突出方向Ｄ（図５参照）に落下する。落下したパチンコ球は球通路２７に入る。球通路２７に入ったパチンコ球は球出口２６から排出される。パチンコ球が落下するとおもり４３の重量によって第２揺動部材３１は受容不能位置で保持される。
【００４６】
上記実施形態では、揺動部材でステージの転動面から落下する遊技球を受けるようにしたが、遊技盤に揺動部材を取り付け、遊技領域を落下するパチンコ球を受けるようにしてもよい。
【００４７】
この場合、例えば図１１に示すように、遊技盤６０の前面側から背面側に貫通する孔６１を形成し、この孔６１内から揺動部材６２が遊技領域に突出するように揺動部材６２を遊技盤６０に軸支する。なお、揺動部材６２の第１揺動部材３０と同一の部分には同一の符号を用いて説明を省略する。揺動部材６２の軸受け４０の外周面からは、矩形の板からなる本体部６３が突出している。本体部６３の上端には、遊技盤６０の背面側から前面側に向かう方向ａに突出した第１突出部６４が設けられている。第１突出部６４は、根元から先端にかけて上方に向けて湾曲した板からなり、その先端部が遊技領域内にパチンコ球１個分程度突出している。
【００４８】
また、本体部６３の背面には第１揺動部材３０と同一の第２突出部４２が設けられている。第２突出部４２は、遊技盤６０の前面側から背面側に向かう方向ｂに突出している。
【００４９】
揺動部材６２は、第１突出部６４がおもり４３によって遊技盤６０の前面側から背面側に向かう方向ｂに付勢されている。常態では、揺動部材６２は、おもり４３の付勢によって第２突出部４２の傾斜面４２ａが孔６１から遊技盤６０の背面側に突出して、遊技領域を落下するパチンコ球を受けることができない受容不能位置（図１１の位置）で保持されている。
【００５０】
そして、揺動部材６２は、遊技領域を落下するパチンコ球が第１突出部６４の上面を押圧すると、第１突出部６４が遊技盤６０の背面側から前面側に向かう方向ａに揺動する。これにより、揺動部材６２は、受容不能位置から、第２突出部４２の傾斜面４２ａが孔６１から遊技盤６０の前面側に突出して遊技領域を落下するパチンコ球を受けることができる受容位置（図１２の位置）に揺動する。
【００５１】
第２突出部４２の先端には、傾斜面４２ａから上方に突出する壁６５が設けられている。壁６５は、揺動部材６２が受容位置に揺動したときに、遊技盤６０の背面と当接して孔６１を覆う。これにより、傾斜面４２ａ及び第１突出部６４の背面で受けたパチンコ球を遊技盤６０の背面側に落下することが防止するとともに、パチンコ球を遊技領域内で不規則に落下させることが可能になる。
【００５２】
上記実施形態では、揺動部材を、軸方向Ａにパチンコ球を落下させる第１揺動部材２９，３０と役物１８内にパチンコ球を落下させる第２揺動部材３１とから構成したが、揺動部材はいずれか一方のみでもよく、揺動部材を設ける数も適宜数にしてよい。また、揺動部材が受けたパチンコ球を落下させる方向は適宜の方向でよい。また、第１突出部はステージ上のパチンコ球が第１突出部を押圧することができれば適宜の形状にしてよく、第２突出部の形状はパチンコ球を受けることができれば適宜の形状にしてよい。
【００５３】
上記実施形態では、ステージ１７を２段構成にしたが、ステージの段数は適宜の段数にしてよく、ステージの形状も転動面上のパチンコ球を手前に落下させることができれば適宜の形状にしてよい。
【産業上の利用可能性】
【００５４】
本発明は、パチンコ機に限らず、遊技球を用いて遊技が行われる他の遊技機にも適用できる。
【図面の簡単な説明】
【００５５】
【図１】本発明のパチンコ機の斜視図である。
【図２】役物の斜視図である。
【図３】揺動部材が揺動した状態を示す役物の斜視図である。
【図４】第１揺動部材の斜視図である。
【図５】第２揺動部材の斜視図である。
【図６】第１揺動部材が受容位置に位置する状態を示す断面図である。
【図７】第１揺動部材が受容不能位置に位置する状態を示す断面図である。
【図８】第２突出部でパチンコ球を受ける際の第１揺動部材の動きを示す説明図である。
【図９】第２突出部の傾斜面で受けたパチンコ球が落下した後の第１揺動部材の動きを示す説明図である。
【図１０】第２突出部でパチンコ球を受ける際の第２揺動部材の動きを示す説明図である。
【図１１】遊技盤に設けた揺動部材が受容不能位置に位置する状態を示す説明図である。
【図１２】遊技盤に設けた揺動部材が受容位置に位置する状態を示す説明図である。
【符号の説明】
【００５６】
１０  パチンコ機
１７  ステージ
２０  第１ステージ
２０ａ  第１転動面
２１  第２ステージ
２１ａ  第２転動面
２９，３０  第１揺動部材（揺動部材）
３１  第２揺動部材（揺動部材）
４１，５０，６４  第１突出部
４２，５１  第２突出部
４２ａ，５１ａ  傾斜面
４３  おもり（付勢部材）
６２  揺動部材
【図１】
2006061184.tif 000003
【図２】
2006061184.tif 000004
【図３】
2006061184.tif 000005
【図４】
2006061184.tif 000006
【図５】
2006061184.tif 000007
【図６】
2006061184.tif 000008
【図７】
2006061184.tif 000009
【図８】
2006061184.tif 000010
【図９】
2006061184.tif 000011
【図１０】
2006061184.tif 000012
【図１１】
2006061184.tif 000013
【図１２】
2006061184.tif 000014